(57)【要約】    【課題】  新規キ−の使用によってキ−コ−ドを変更し、従来キ−の使用を不可能として新規キ−による施解錠を可能としたキ−コ−ド可変型シリンダ−錠を提案すること。    【解決手段】  シリンダ−１２に通常タンブラ−１６とキ−コ−ド変更用タンブラ−１７とを備え、タンブラ−１７は、第１タンブラ−板１８に対して数段階に噛合自在とした第２タンブラ−板１９を重ね合せして構成し、新規キ−の挿入とシリンダ−１２の回転による第１タンブラ−板１８と第２タンブラ−板１９との相対移動により、これらタンブラ−板１８、１９の噛合位置を変えキ−コ−ドを変更するシリンダ−錠となっている。【選択図】  図４
2006233422.tif 000002
【特許請求の範囲】
【請求項１】
内周面に係合溝を有するホルダ−と、このホルダ−内に回転可能に収容し、キ−を挿入して回転させるシリンダ−とを備え、
前記シリンダ−には、キ−の挿入方向と直交する方向にばね勢力を与えた複数のタンブラ−と、キ−の挿入前の状態ではタンブラ−により押動され前記ホルダ−の係合溝に突入してシリンダ−を非回転とし、かつ、キ−の挿入によって整列した各タンブラ−の切欠凹部にばね勢力で突入移動して前記係合溝から脱出しシリンダ−を回転可能とするサイドバ−とが設けられたシリンダ−錠において、
前記タンブラ−の少なくとも一つのタンブラ−は、相対移動可能に重ね合せた第１タンブラ−板と第２タンブラ−板とで形成すると共に、
これら第１、第２タンブラ−板には、前記サイドバ−を突入移動させる切欠凹部と、新規キ−によって相対移動位置を定めてキ−コ−ド設定するコ−ド設定部とを設けたキ−コ−ド変更用タンブラ−として構成したことを特徴とするキ−コ−ド可変型シリンダ−錠。
【請求項２】
請求項１に記載したシリンダ−錠において、
前記第１タンブラ−板と第２タンブラ−板とに設けたコ−ド設定部は、弾性的に噛合し、新規キ−によって噛合位置を少なくとも２位置に変えることができる噛合部からなり、この噛合部の噛合位置を変えて第１、第２タンブラ−板の相対的な移動位置を可変してキ−コ−ド設定する構成としたことを特徴とするキ−コ−ド可変型シリンダ−錠。
【請求項３】
請求項１又は２に記載したシリンダ−錠において、
前記ホルダ−の内周面には、前記タンブラ−が進出可能な凹形溝を形成し、
前記第１、第２タンブラ−板のいずれか一方には、前記凹形溝の溝側部に当接可能な当接部を設け、
新規キ−によるシリンダ−の回転に応動させて前記当接部を前記溝側部に当接させ、その当接による前記当接部の後退動にしたがって一方のタンブラ−板を他方のタンブラ−板に対し移動させキ−コ−ド設定する構成としたことを特徴とするキ−コ−ド可変型シリンダ−錠。
【請求項４】
請求項１〜３のいずれかに記載したシリンダ−錠において、
前記第１、第２タンブラ−板のうち、移動させる一方のタンブラ−板の前記切欠凹部の切欠幅に対し、その他方のタンブラ−板の前記切欠凹部の切欠幅を広く形成したことを特徴とするキ−コ−ド可変型シリンダ−錠。
【請求項５】
請求項１〜４のいずれかに記載したシリンダ−錠において、
前記第１、第２タンブラ−板のうち、他方のタンブラ−板には、一方のタンブラ−板を重合させる肉薄面部を設けたことを特徴とするキ−コ−ド可変型シリンダ−錠。
【請求項６】
請求項１〜５のいずれかに記載したシリンダ−錠において、
前記第１、第２タンブラ−板のうち、他方のタンブラ−板には一方のタンブラ−板を移動自在に保持する保持板を設けたことを特徴とするキ−コ−ド可変型シリンダ−錠。
【発明の詳細な説明】
【技術分野】
【０００１】
本発明は、建物や車輌などのドアに装備されるシリンダ−錠に関し、詳しくは、シリンダ−錠のキ−コ−ドを新規キ−に合せて簡単に変更できるようにしたキ−コ−ド可変型シリンダ−錠に係る。
【背景技術】
【０００２】
建物や車輌などのドアに装備されているシリンダ−錠は、広く知られている通り、ドアに装着されるホルダ−と、このホルダ−内に回転可能に収容されたシリンダ−とを有し、シリンダ−にキ−を差し入れないかぎり、シリンダ−がホルダ−に対して回転不能となって施錠となり、一方、キ−をシリンダ−に差し入れることで、シリンダ−がホルダ−に対して回転可能となり、キ−を差し入れたままシリンダ−を回転させることで解錠する構成となっている。
【０００３】
また、この種のシリンダ−錠には、シリンダ−にキ−を差し込むことに連動させて多数のタンブラ−をホルダ−の係合溝から脱出させシリンダ−を回転可能に移行させるものの他に、シリンダ−にキ−を差し込むことに連動して多数のタンブラ−の切欠凹部が直線上に整列し、この切欠凹部に突入するサイドバ−がホルダ−の係合溝から脱出してシリンダ−を回転可能に移行させる構成のサイドバ−タイプのものがある。
【０００４】
その他に、コンストラクション機能を有するサイドバ−タイプのシリンダ−錠が知られている。
このシリンダ−錠は、全長の短いコンストラクションキ−を使用する場合には、後側のタンブラ−がコンストラクションカムに突入したままとなり、このコンストラクションカムが、シリンダ−と一体的に回転して施解錠する。
【０００５】
全長の長いユ−ザ−キ−を使用する場合は、コンストラクション機能が解除される。
すなわち、ユ−ザ−キ−によって全てのタンブラ−が動作され、後側のタンブラ−がコンストラクションカムから脱出するため、このコンストラクションカムがホルダ−と一体的に連結するように移動する。
したがって、コンストラクションキ−では後側のタンブラ−がホルダ−と一体結合のコンストラクションカムから脱出しないため、シリンダ−が非回転となり解錠することができないが、ユ−ザ−キ−を使用すれば全てのタンブラ−が動作するので、シリンダ−が回転可能になり施解錠することができる。
【０００６】
【特許文献１】特開２００２−０３８７７６号公報
【発明の開示】
【発明が解決しようとする課題】
【０００７】
上記したような従来のシリンダ−錠は、キ−を紛失したり、或いは、キ−が盗まれたようなときには施解錠することができないため、錠業者に錠の取り付け交換を依頼しなければならない。
しかし、錠の交換は、交換作業に時間がかかる上、錠代と作業代など高額な費用を負担することになる。
【０００８】
また、マンションの居住者が替わったときには、部屋の玄関ドア錠を新たな錠に交換することが多いが、このような場合にも上記同様に錠業者に交換依頼をする必要があった。
【０００９】
上記した問題を解決するため、シリンダ−錠をドアに取付けた状態でキ−コ−ドを変更して新規キ−によって施解錠できるようにしたキ−コ−ド可変型シリンダ−錠が既に開発されているが、構造が複雑でコストが高く、信頼性にも問題があった。
【００１０】
本発明は上記した実情にかんがみ、キ−の紛失などによって施解錠できない場合には、特定の新規キ−によって施解錠することにより、キ−コ−ドを自動的に変更することができ、以降はその新規キ−によって施解錠することができるキ−コ−ド可変型シリンダ−錠を提供することを目的とする。
【課題を解決するための手段】
【００１１】
上記した目的を達成するため、本発明では、第１の発明として、内周面に係合溝を有するホルダ−と、このホルダ−内に回転可能に収容し、キ−を挿入して回転させるシリンダ−とを備え、前記シリンダ−には、キ−の挿入方向と直交する方向にばね勢力を与えた複数のタンブラ−と、キ−の挿入前の状態ではタンブラ−により押動され前記ホルダ−の係合溝に突入してシリンダ−を非回転とし、かつ、キ−の挿入によって整列した各タンブラ−の切欠凹部にばね勢力で突入移動して前記係合溝から脱出しシリンダ−を回転可能とするサイドバ−とが設けられたシリンダ−錠において、前記タンブラ−の少なくとも一つのタンブラ−は、相対移動可能に重ね合せた第１タンブラ−板と第２タンブラ−板とで形成すると共に、これら第１、第２タンブラ−板には、前記サイドバ−を突入移動させる切欠凹部と、新規キ−によって相対移動位置を定めてキ−コ−ド設定するコ−ド設定部とを設けたキ−コ−ド変更用タンブラ−として構成したことを特徴とするキ−コ−ド可変型シリンダ−錠を提案する。
【００１２】
第２の発明としては、上記した第１の発明のシリンダ−錠において、前記第１タンブラ−板と第２タンブラ−板とに設けたコ−ド設定部は、弾性的に噛合し、新規キ−によって噛合位置を少なくとも２位置に変えることができる噛合部からなり、この噛合部の噛合位置を変えて第１、第２タンブラ−板の相対的な移動位置を可変してキ−コ−ド設定する構成としたことを特徴とするキ−コ−ド可変型シリンダ−錠を提案する。
【００１３】
第３の発明としては、上記した第１又は第２発明のシリンダ−錠において、前記ホルダ−の内周面には、前記タンブラ−が進出可能な凹形溝を形成し、前記第１、第２タンブラ−板のいずれか一方には、前記凹形溝の溝側部に当接可能な当接部を設け、新規キ−によるシリンダ−の回転に応動させて前記当接部を前記溝側部に当接させ、その当接による前記当接部の後退動にしたがって一方のタンブラ−板を他方のタンブラ−板に対し移動させキ−コ−ド設定する構成としたことを特徴とするキ−コ−ド可変型シリンダ−錠を提案する。
【００１４】
第４の発明としては、上記した第１〜第３の発明のいずれかの発明のシリンダ−錠において、前記第１、第２タンブラ−板のうち、移動させる一方のタンブラ−板の前記切欠凹部の切欠幅に対し、その他方のタンブラ−板の前記切欠凹部の切欠幅を広く形成したことを特徴とするキ−コ−ド可変型シリンダ−錠を提案する。
【００１５】
第５の発明としては、上記した第１〜第４の発明のいずれかの発明のシリンダ−錠において、前記第１、第２タンブラ−板のうち、他方のタンブラ−板には、一方のタンブラ−板を重合させる肉薄面部を設けたことを特徴とするキ−コ−ド可変型シリンダ−錠を提案する。
【００１６】
第６の発明としては、上記した第１〜第５の発明のいずれかの発明のシリンダ−錠において、前記第１、第２タンブラ−板のうち、他方のタンブラ−板には一方のタンブラ−板を移動自在に保持する保持板を設けたことを特徴とするキ−コ−ド可変型シリンダ−錠を提案する。
【発明の効果】
【００１７】
第１の発明のシリンダ−錠は、シリンダ−錠に新規キ−を差し入れて施解錠操作することで、キ−コ−ド変更用タンブラ−を形成する第１、第２コ−ド板の相対移動位置が定まり、シリンダ−錠に新たなキ−コ−ドが自動的に設定される。
これより、シリンダ−錠を交換することなく、新規キ−によって施解錠することができるシリンダ−錠となり、また、従来キ−の使用を不可能にするシリンダ−錠となる。
【００１８】
さらに、このシリンダ−錠は、キ−コ−ド変更用タンブラ−と通常のタンブラ−とを組合せて配設したので、防盗性の高いシリンダ−錠を数種類のキ−コ−ドに変更することができる。
なお、全てのタンブラ−をキ−コ−ド変更用タンブラ−として構成することもできる。
この場合には防盗性が低下するが、キ−コ−ドの変更可能な回数を増加することができる。
【００１９】
第２の発明のシリンダ−錠は、コ−ド設定部である噛合部の噛合位置が新規キ−の使用によって少なくとも２位置に変わって、第１、第２タンブラ−板の相対移動位置が変更される。
この結果、キ−コ−ド変更のための他の部材や操作を必要とせずに、新規キ−をシリンダ−に差し入れて回転操作するだけで新らたなキ−コ−ドに変更することができるシリンダ−錠となる。
【００２０】
第３の発明のシリンダ−錠は、新規キ−をシリンダ−に差し入れ第１、第２タンブラ−板を相対移動させた後、新規キ−を差し入れたままシリンダ−を回転することによりキ−コ−ドが設定される。
すなわち、シリンダ−の回転に伴って一方のタンブラ−板の当接部がホルダ−の溝側部に当接して後退動するため、一方のタンブラ−板が他方のタンブラ−板に対して移動し、新らたなキ−コ−ドが設定される。
この結果、第２の発明と同様にキ−コ−ド変更のための他の部材や操作を必要とせずにキ−コ−ドを変更することができる。
【００２１】
第４の発明のシリンダ−錠は、キ−コ−ドの変更によって第１、第２タンブラ−板が相対移動した場合にも、サイドバ−がこれら第１、第２タンブラ−板の切欠凹部に突入移動できるように、一方のタンブラ−板の切欠凹部の切欠幅に対して他方のタンブラ−板の切欠凹部の切欠幅を広く形成したことが特徴となっている。
【００２２】
第５の発明のシリンダ−錠は、第１、第２タンブラ−板のうち、他方のタンブラ−板の肉薄面部に一方のタンブラ−板を重ね合せる構成とすることによって、２つのタンブラ−板の傾きを防ぐことができる。
この結果、第１、第２タンブラ−板の平行移動により、キ−コ−ドの変更動作が安定に、かつ、確実に行なわれる。
【００２３】
第６の発明のシリンダ−錠は、第１、第２タンブラ−板のうち、他方のタンブラ−板に一方のタンブラ−板を移動自在に保持する保持部材を設けたので、これら２つのタンブラ−板が離れ、タンブラ−板がシリンダ−に接触して動作が不安定となることを防止することができる。
【発明を実施するための最良の形態】
【００２４】
次に、本発明の実施形態について図面に沿って説明する。
図１は本発明の一実施形態として示したキ−コ−ド可変型シリンダ−錠の正面図、図２は図１上のＡ−Ａ線拡大断面図、図３は上記シリンダ−錠の主要部品を示した分解斜視図である。
【００２５】
図示するように、このシリンダ−錠１０は、ホルダ−１１、シリンダ−１２、カバ−１３、蓄光環１４、プレ−ト１５によって構成されている。
このシリンダ−錠１０は、ドアに形成した取付開口部の周囲部にホルダ−１１を取付け、シリンダ−１２のテ−ルピ−ス１２ａをドア内部に設けた錠装置に連結する。
【００２６】
上記のホルダ−１１は、円筒状体のもので、その前端側には小径筒部１１ａと鍔部１１ｂとが設けてあり、また、内周面には２つの係合部１１ｃ、１１ｄを対向面部に形成し、さらに、係合溝１１ｃ、１１ｄの中間となる面部には２つの凹形溝１１ｅ、１１ｆが対向形成してある。
なお、図１〜図３には凹形溝１１ｆが図示されていない。
【００２７】
上記したシリンダ−１２は、ホルダ−１１内に回転可能に収容され、プレ−ト１５により抜け止めされた円柱状体のものである。
なお、プレ−ト１５はホルダ−１１に固着してある。
【００２８】
このシリンダ−１２には、円柱軸心方向に内部形成したキ−挿入穴１２ｂと、このキ−挿入穴１２ｂと直交する方向に形成した多数のタンブラ−孔１２ｃと、外周面に形成した略Ｉ形のサイドバ−用穴１２ｄと、クリック機構用の小穴１２ｅとが設けてある。
【００２９】
図４はシリンダ−１２に装備するタンブラ−１６、１７とを示す。なお、本実施形態では同形状の７枚の通常タンブラ−１６と同構成の３枚のキ−コ−ド変更用タンブラ−１７との１０枚のタンブラ−構成としてある。
タンブラ−１６は、短辺側を円弧状とした略矩形板からなる公知構成のもので、一側部にスプリング受部１６ａ、他側部に切欠凹部１６ｃを有し、さらに、板中に形成したキ−孔部にキ−コ−ド係合部１６ｂを設けた構成となっている。
以下、このタンブラ−１６を通常タンブラ−と称して説明することがある。
【００３０】
タンブラ−１７は、上記した通常タンブラ−１６とほぼ同形状の第１タンブラ−板１８と、ほぼＵ字形として第１タンブラ−板１８に移動可能として重ね合せた第２タンブラ−板１９とで構成したキ−コ−ド変更用タンブラ−となっている。
第１タンブラ−板１８には、スプリング受部１８ａ、キ−コ−ド係合部１８ｂ、切欠凹部１８ｃ（図５、図６参照）が設けてあり、第２タンブラ−板１９には、切欠凹部１９ｃなどが設けてあるが、これら第１、第２タンブラ−板１８、１９については詳細に後述する。
【００３１】
タンブラ−１６、１７の各々は、シリンダ−１２のタンブラ−孔１２ｃに挿入し、各々のタンブラ−に付設するスプリング２０ａ、２０ｂによってキ−挿入穴１２ｂと直交する方向の押動勢力を与える。
【００３２】
具体的には、スプリング２０ａによって図４中右方向に押動勢力を与えたタンブラ−１６、１７と、スプリング２０ｂによって図４中左方向に押動勢力を与えたタンブラ−１６、１７とが備えてある。
つまり、各々のタンブラ−孔１２ｃの一端部に設けたスプリング用穴１２ｆに各スプリング２０ａを内装した後、タンブラ−１６、１７をタンブラ−孔１２ｃに挿入し、それらのスプリング受部１６ａ、１８ａをスプリング２０ａに当接させ、そして、シリンダ−１２に挿入するスプリングリッド２１によって各タンブラ−１６、１７のスプリング受部１６ａ、１８ａを受け止めし、タンブラ−１６、１７の抜け止めを行なう。
【００３３】
左方向に押動勢力を与えるタンブラ−１６、１７は、各々のタンブラ−孔１２ｃにタンブラ−１６、１７を内装した後に、スプリング２０ｂをスプリング用穴１２ｆに挿入し、このスプリング２０ｂの一端部を上記のスプリングリッドに当接させるようにしてタンブラ−１６、１７の抜け止めを行なうようにしてある。
【００３４】
また、上記のシリンダ−１２には、図２、図３に示すように、サイドバ−２２が装備してある。
このサイドバ−２２は、両端部側を低い段面とした細長形体で、その下面が角形断面となっている。
上記のサイドバ−２２は、シリンダ−１２のサイドバ−用穴１２ｄに内装させるが、その両端部側の低段面と２つの止金具２３との間に設けたスプリング２４によってシリンダ−１２内に没入するように移動勢力を受けている。
なお、止金具２３はサイドバ−用穴１２ｄの両端部で加締め止めし、シリンダ−１２に固定してある。
【００３５】
さらに、上記した小孔１２ｅには、ばね２６によって突出勢力を与えた小球２７を設け、この小球２７がホルダ−１１の凹部１１ｇに突入し、キ−の挿抜位置で節度感を与えるクリック機構を構成してある。
【００３６】
上記したカバ−１３は、ホルダ−１１の外周を覆うもので、ホルダ−１１の鍔部１１ｂにねじ止めしてある。
また、カバ−１３は、前側を円錐形に形成し、その前面端にシリンダ−１２のキ−挿入穴１２ｂを露出させる円形孔１３ａが設けてある。
【００３７】
上記した蓄光環１４は、例えば、蓄光材料を練り込んでポリカ−ボネイトで形成し、夜間に発光させるもので、これはカバ−１４ａに接着剤で接着してある。
すなわち、カバ−１４ａをホルダ−１１の小径筒部１１ａの周面と前面とを覆うように加締め止めすることで、蓄光環１４をホルダ−１１に固着する構成としてある。
【００３８】
上記したシリンダ−錠１０は、キ−をキ−挿入穴１２ｂに挿入しない状態では、各タンブラ−１６、１７の切欠凹部１６ｃ、１８ｃ、１９ｃが非整列となっているため、サイドバ−２２がその切欠凹部１６ｃ、１８ｃ、１９ｃに突入することができず、タンブラ−１６、１７の側部に当接して押し戻されている。
【００３９】
つまり、サイドバ−２２がスプリング２４のばね勢力に抗してシリンダ−１２より突出し、図２に示すように、ホルダ−１１の係合溝１１ｃに突入している。
したがって、サイドバ−２２が係合溝１１ｃに係合していることから、シリンダ−１２の回転が阻止される。
この状態ではテ−ルピ−ス１２ａに連動する錠装置がドアロック又はドアアンロックの動作となる。
【００４０】
施錠している錠装置を解錠させるためキ−をキ−挿入穴１２ｂに挿入すると、キ−のキ−コ−ド部にしたがってタンブラ−１６、１７のキ−コ−ド係合部１６ｂ、１８ｂが駆動されることから、各タンブラ−１６、１７が切欠凹部１６ｃ、１８ｃ、１９ｃ（切換凹部１８ｃ、１９ｃは一体的に移動する）を直線上に整列させるように移動する。
このため、サイドバ−２２がスプリング２４のばね勢力で整列した切欠凹部１６ｃ、１８ｃ、１９ｃに突入移動する。
【００４１】
サイドバ−２２が切欠凹部１６ｃ、１８ｃ、１９ｃに突入してシリンダ−１２に没入すると、サイドバ−２２がホルダ−１１の係合溝１１ｃから脱出し、係合溝１１ｃによるサイドバ−２２の係合が解放されるため、シリンダ−１２の回転が可能になる。
【００４２】
したがって、キ−を挿入したままシリンダ−１２を左回転させることにより、テ−ルピ−ス１２ａに連動された錠装置がドアをアンロックさせるように動作する。
なお、キ−の左回転は９０度の回転位置で錠装置によって規制される。
これより、施錠されていたドアを解錠し、ドアを開くことができる。
また、キ−をキ−挿入穴１２ｂより抜き取る場合は、キ−を回転位置から右回転し、小球２７によるクリック機構の節度位置、つまり、図１に示すキ−の差し入れ位置まで戻し回転して抜き出す。
【００４３】
ドアを施錠させる場合は、キ−をキ−挿入穴１２ｂに挿入し、シリンダ−１２を上記とは反対に右方向に９０度回転させる。
このキ−操作により錠装置がドアをロックするように動作する。
なお、この場合にもキ−の右回転位置が錠装置によって規制される。
そして、キ−を左回転して図１に示すキ−の差し入れ位置に戻しキ−挿入穴１２ｂから抜き取ることで、タンブラ−１６、１７がスプリング２０ａ、２０ｂのばね勢力で戻り移動するため、サイドバ−２２が切欠凹部１６ｃ、１８ｃ、１９ｃから脱出し、タンブラ−１６、１７の側部に乗り上がるようになる。
したがって、サイドバ−２２がシリンダ−１２から突出してホルダ−１１の係合溝１１ｃに突入し、図２に示す施錠状態となる。
【００４４】
続いて、タンブラ−１７について説明する。
このタンブラ−１７は、キ−コ−ド変更用タンブラ−であって、シリンダ−錠１０のキ−コ−ドを変更するためのものである。
【００４５】
すなわち、このタンブラ−１７は、現行キ−を紛失したような場合に、シリンダ−錠１０を交換することなく、キ−コ−ドを変更して新規キ−により施解錠を可能にするためのものであって、本実施形態のタンブラ−１７は、現行キ−によって施解錠できるキ−コ−ドの他に、２通り（２種類）のキ−コ−ドに変更できるものとなっている。
【００４６】
図５は、タンブラ−１７を形成する第１タンブラ−板１８と第２タンブラ−板１９とを示す斜視図で、図６は第１、第２タンブラ−板１８、１９を重ね合せて形成したタンブラ−１７の斜視図である。
【００４７】
図示するように、第１タンブラ−板１８は、短辺側を円弧形状とした略矩形枠板で、通常タンブラ−１６とほぼ同形の枠板形状となっている。
具体的には、一側部から突出形成したスプリング受部１８ａと、キ−孔部１８ｄ内に突出形成したキ−コ−ド係合部１８ｂと、他側部に台形に切欠き形成した切欠凹部１８ｃとを有している。
【００４８】
さらに、第１タンブラ−板１８は、第２タンブラ−板１９を重ね合せるための肉薄面部１８ｅが形成してあり、また、肉厚面部１８ｆには一つの歯形からなる各々の噛合部１８ｇ、１８ｈが外向きに対向するように形成してある。
【００４９】
第２タンブラ−板１９は、図示する如く、円弧形の当接部１９ａを形成したほぼＵ字形の板枠で、一方の板脚には台形に切欠き形成した切欠凹部１９ｃが設けてあり、さらには、両板脚の先端側となる部分には３つの歯底を設けた噛合部１９ｄ、１９ｅが形成してある。
【００５０】
このように形成した第１、第２タンブラ−板１８、１９は、第２タンブラ−板１９を第１タンブラ−板１８の肉薄面部１８ｅに重ね合せ、その噛合部１９ｄ、１９ｅを第２タンブラ−板１９の弾性を利用して第１タンブラ−板１８の噛合部１８ｇ、１８ｈに噛合させて図６に示すタンブラ−１７を形成している。
【００５１】
図７、図８、図９は第１タンブラ−板１８と第２タンブラ−板１９とによるキ−コ−ドの変更動作を示す説明図、図１０は噛合部１８ｇ、１８ｈ及び１９ｄ、１９ｅを拡大して示した第１、第２タンブラ−板１８、１９の部分図で、１９ｄ１、１９ｅ１が第１噛合位置、１９ｄ２、１９ｅ２が第２噛合位置、１９ｄ３、１９ｅ３が第３噛合位置となっている。
【００５２】
図７は、第１タンブラ−板１８に対して第２タンブラ−板１９が、第１噛合位置１９ｄ１、１９ｅ１に噛合部１８ｇ、１８ｈが噛合した移動位置となっており、現行キ−が使用できるキ−コ−ドの状態を示している。
【００５３】
図８は、第２タンブラ−板１９が、第２噛合位置１９ｄ２、１９ｅ２に噛合部１８ｇ、１８ｈが噛合した移動位置となっており、キ−コ−ドが変更された状態を示している。
【００５４】
図９は、第２タンブラ−板１９が、第３噛合位置１９ｄ３、１９ｅ３に噛合部１８ｇ、１８ｈが噛合する移動位置となっており、他のキ−コ−ドに変更されている状態を示している。
【００５５】
第２タンブラ−板１９を第１タンブラ−板１８に対して上記のように移動設定すると、第１タンブラ−板１８のキ−コ−ド係合部１８ｂと第２タンブラ−板１９の切欠凹部１９ｃとの位置関係が変わる。
つまり、第２タンブラ−板１９を上記のように移動設定した場合、キ−コ−ド係合部１８ｂの位置と第２タンブラ−板１９の切欠凹部１９ｃの位置とが図７から図８に又は図８から図９に示すように変り、シリンダ−錠１０のキ−コ−ドが変更される。
【００５６】
言換えれば、第２タンブラ−板１９の移動設定により、図８又は図９に示すキ−コ−ド係合部１８ｂの変化位置で、このキ−コ−ド係合部１８ｂを駆動することのできる異なるキ−コ−ドをもった各々のキ−を使用しなければ施解錠することができないシリンダ−錠１０となる。
【００５７】
なお、第２タンブラ−板１９が移動することによって、切欠凹部１９ｃと第１タンブラ−板１８の切欠凹部１８ｃとの位置が変わるため、切欠凹部１９ｃの切欠幅に対して切欠凹部１８ｃの切欠幅を広く形成し、第２タンブラ−板１９が上記のように移動した場合でも、サイドバ−２２がこれら切欠凹部１８ｃ、１９ｃに突入可能となるようにしてある。
【００５８】
図１１は、現行キ−（キ−コ−ド変更前に使用可能なキ−）３０の正面図、図１２は同キ−３０の右側面図である。
図示する如くこのキ−３０には、第１キ−コ−ド部３０ａと、第２キ−コ−ド部３０ｂが形成してある。
なお、両面に第１キ−コ−ド部３０ａと第２キ−コ−ド部３０ｂを形成することにより、表裏を反転させて挿入しても施解錠できるようになっている。
【００５９】
このキ−３０は、第１キ−コ−ド部３０ａによって右方向に押動勢力を与えたタンブラ−１６、１７のキ−コ−ド係合部１６ｂ、１８ｂを駆動し、第２キ−コ−ド部３０ｂによって左方向に押動勢力を与えたタンブラ−１６、１７のキ−コ−ド係合部１６ｂ、１８ｂを駆動させる構成としてある。
【００６０】
したがって、本実施形態のシリンダ−錠１０は、図４に示したように７枚の通常タンブラ−１６と３枚のタンブラ−１７とを備えているから、キ−コ−ド変更前は上記キ−３０を挿入することにより、第１キ−コ−ド部３０ａ、第２キ−コ−ド部３０ｂによって全てのタンブラ−のキ−コ−ド係合部１６ｂ、１８ｂが駆動され、各々のタンブラ−１６、１７の切欠凹部１６ｃ、１８ｃ、１９ｃが直線上に整列し、サイドバ−２２がその切欠凹部１６ｃ、１８ｃ、１９ｃに突入移動してシリンダ−１２の回転が可能になる。
【００６１】
また、図８又は図９のように、タンブラ−１７によってシリンダ−錠１０のキ−コ−ドを変更する場合は、上記した現行キ−３０の第１キ−コ−ド部３０ａのうち、タンブラ−１７のキ−コ−ド係合部１８ｂを駆動するコ−ド部分を変えた新規キ−を使用する。
【００６２】
つまり、図７から図８のキ−コ−ドに、図８から図９のキ−コ−ドに変更するとすれば、各々のキ−コ−ドに変更することができる別々の新規キ−を使用することになる。
【００６３】
次に、図１３〜図２０を参照しながら上記したタンブラ−１７を備えるシリンダ−錠１０のキ−コ−ド変更操作について説明する。
図１３は、キ−を挿入前のタンブラ−１７とサイドバ−２２の動作状態を示す。
なお、この図はスプリング２０ｂによって右方向に押動勢力を与えたタンブラ−１７を示している。
図示するように、第１タンブラ−板１８と第２タンブラ−板１９は噛合部１８ｇ、１８ｈが第１噛合位置１９ｄ１、１９ｅ１に噛合している。
【００６４】
そして、これら第１、第２タンブラ−板１８、１９の切欠凹部１８ｃ、１９ｃが通常タンブラ−１６の切欠凹部１６ｃと共にサイドバ−２２の突入位置からずれた位置となっており、このため、サイドバ−２２がシリンダ−１２から突出しホルダ−１１の係合溝１１ｃに突入している。
この結果、シリンダ−１２が回転しない動作状態となっている。
【００６５】
図１４は、上記した現行キ−３０をキ−挿入穴１２ｂに挿入した状態を示す。
現行キ−３０の挿入によって、キ−３０の第１キ−コ−ド部３０ａによって第１タンブラ−板１８のキ−コ−ド係合部１８ｂが駆動され、第１タンブラ−板１８と第２タンブラ−板１９とが一体的に下降移動する。
【００６６】
これより、第１タンブラ−板１８の切欠凹部１８ｃと第２タンブラ−板１９の切欠凹部１９ｃがサイドバ−２２の突入可能位置に一体的に移る。
なお、通常タンブラ−１６のキ−コ−ド係合部１６ｂも現行キ−３０の第１キ−コ−ド部３０ａによって同様に駆動されるため、サイドバ−２２の突入可能位置に移るから、タンブラ−１６、１７の全ての切欠凹部１６ｃ、１８ｃ、１９ｃが整列する。
したがって、サイドバ−２２が切欠凹部１６ｃ、１８ｃ、１９ｃに突入移動してホルダ−１１の係合溝１１ｃから脱出し、シリンダ−１２が回転可能となる。
【００６７】
図１５は、図１３に示すシリンダ−１２の状態において、新規キ−４０をキ−挿入穴１２ｂに挿入した動作状態を示す。
新規キ−４０は上記した現行キ−３０に比べタンブラ−１７を駆動する第１キ−コ−ド部４０ａが異なるものとなっている。
つまり、タンブラ−１７のキ−コ−ド係合部１８ｂを駆動する第１キ−コ−ド部４０ａの突出量を大きくした新規キ−４０としてある。
【００６８】
したがって、新規キ−４０を挿入すると、第１タンブラ−板１８のキ−コ−ド係合部１８ｂが第１キ−コ−ド部４０ａによって駆動され、第１タンブラ−板１８と第２タンブラ−板１９が新規キ−４０の第１キ−コ−ド部４０ａにしたがって一体的に下降し、第２タンブラ−板１９の当接部１９ａがホルダ−１１の凹形溝１１ｆに入り込む。
【００６９】
また、第１タンブラ−板１８の切欠凹部１８ｃと第２タンブラ−板１９の切欠凹部１９ｃとの相対位置関係は変わらないから、これら切欠凹部１８ｃ、１９ｃがサイドバ−２２の突入可能位置に移る。
なお、現行キ−３０の挿入時及び新規キ−４０の挿入時のどちらかの場合でも、サイドバ−２２が突入することができるように切欠凹部１８ｃ、１９ｃの幅が形成してある。
また、通常タンブラ−１６も新規キ−４０によって駆動されるため、全てのタンブラ−１６、１７の切欠凹部１６ｃ、１８ｃ、１９ｃが整列し、サイドバ−２２が切欠凹部１６ｃ、１８ｃ、１９ｃに突入移動し、シリンダ−１２が回転可能となる。
【００７０】
続いて、新規キ−４０によってシリンダ−１２を回転すると、図１６に示す如く、第２タンブラ−板１９の当接部１９ａがホルダ−１１の凹形溝１１ｆの側部に当接し、さらに、シリンダ−１２を回転すると、当接部１９ａに作用する押動によって図１７に示す如く、第２タンブラ−板１９が図示するように後退移動する。
【００７１】
この場合、第１タンブラ−板１８は、そのキ−コ−ド係合部１８ｂが新規キ−４０の第１キ−コ−ド部４０ａに当っているため移動しなく、第２タンブラ−板１９のみが図示矢印方向に移動する。
このため、第１タンブラ−板１８の噛合部１８ｇ、１８ｈが第２タンブラ−板１９の第１噛合位置１９ｄ１、１９ｅ１から第２噛合位置１９ｄ２、１９ｅ２に移り、キ−コ−ド変更が行なわれる。
つまり、このときキ−コ−ド係合部１８ｂに対する第２タンブラ−板１９の切欠凹部１９ｃの相対位置が変化する。
【００７２】
図１８は、上記のようにキ−コ−ドを変更した後、新規キ−４０によってシリンダ−１２を戻り回転させ、続いて、新規キ−４０を抜き取った動作状態を示す。
新規キ−４０を抜き取ると、第１タンブラ−板１８と第２タンブラ−板１９とが一体的に上昇移動するため、これらの切欠凹部１８ｃ、１９ｃからサイドバ−２２が脱出する。
なお、通常タンブラ−１６も同様の動作となる。
これより、サイドバ−２２がホルダ−１１の係合溝１１ｃに突入し、シリンダ−１２の回転が阻止される。
【００７３】
図１９は、新規キ−４０によってキ−コ−ドを変更したシリンダ−錠１０に現行キ−３０を挿入した状態を示す。
この場合は、キ−コ−ド係合部１８ｂと第２タンブラ−板１９の切欠凹部１９ｃの相対位置関係が新規キ−４０に対応しており、第２タンブラ−板１９の切欠凹部１９ｃが上方に移動しているため、現行キ−３０を挿入しても、その切欠凹部１９ｃがサイドバ−２２の突入可能位置に移動しない。
【００７４】
したがって、現行キ−３０ではシリンダ−１２が回転しないため、現行キ−３０の使用では施解錠することができない。
つまり、新規キ−でキ−コ−ドを変更した後は、従来キ−（キ−コ−ド変更前に使用していたキ−）は使用することができなくなる。
【００７５】
上記では、噛合部１８ｇ、１８ｈを第２噛合位置１９ｄ２、１９ｅ２に噛合させてキ−コ−ドを変更したが、噛合部１８ｇ、１８ｈを第３噛合位置１９ｄ３、１９ｅ３に噛合させてキ−コ−ドを変更する場合も他の新規キ−を使用して同様に行なうことができる。
【００７６】
以上は、スプリング２０ａによって右方向に押動勢力を与えたタンブラ−１６、１７について説明したが、スプリング２０ｂによって左方向に押動勢力を与えたタンブラ−１６、１７は同様の動作となる。
【００７７】
すなわち、図２０に示すように、左方向に押動勢力を与えたタンブラ−１７のキ−コ−ド係合部１８ｂが現行キ−３０の第２キ−コ−ド部３０ｂによって駆動される。
なお、同方向に押動勢力を与えたタンブラ−１６も同様となる。
これより、タンブラ−１６、１７の切換凹部１６ｃ、１８ｃが整列するようになる。
また、タンブラ−１７のキ−コ−ド変更動作は上記同様の動作となる。
【００７８】
一方、図２１は上記したタンブラ−１７の他の実施形態として示したタンブラ−１７Ａを示す斜視図で、図２２は同タンブラ−１７Ａの正面図、図２３は同タンブラ−１７Ａの側面図、図２４は同タンブラ−１７Ａの分解斜視図である。
【００７９】
このタンブラ−１７Ａは、上記した第１タンブラ−板１８の肉薄面部１８ｅと保持板２５の間に第２タンブラ−板１９を移動可能に設けた構成となっている。
保持板２５には、第１タンブラ−板１８と同様にスプリング受部２５ａ、キ−コ−ド係合部２５ｂ、切欠凹部２５ｃ、キ−孔部２５ｄを設け、第１タンブラ−板１８に固着してある。
なお、保持板２５の固着は、加締め、熱溶着、超音波溶着、接着剤等によって行なうことができる。
【００８０】
上記のタンブラ−１７Ａは、第１タンブラ−板１８と第２タンブラ−板１９が厚み方向に離れることがないので、既に述べたところのタンブラ−１７と同様に配設することによって、タンブラ−孔１２ｃ内で第１、第２タンブラ−板の広がりがなく、動作不良を起こすおそれがない。
【００８１】
図２５は、コンストラクション機能を有するシリンダ−錠に可変キ−コ−ドタンブラ−を設けた実施形態を示す。
図２５（Ａ）はコンストラクション機能が働いている状態のシリンダ−１２の断面図、図２５（Ｂ）は、コンストラクション機能が解除された状態を示す図２５（Ａ）同様の断面図、図２５（Ｃ）はコンストラクション機能を解除しキ−を抜き取った状態を示す図２５（Ａ）同様の断面図である。
【００８２】
本実施形態では、上記したシリンダ−錠１０と同様に、通常タンブラ−１６と共にキ−コ−ド変更用のタンブラ−１７とをシリンダ−１２に設け、全長の短いコンストラクションキ−によって前側の７枚のタンブラ−１６、１７を駆動し、全長の長いユ−ザ−キ−によって前側の７枚と後側の３枚のタンブラ−１６を駆動する構成としてある。
【００８３】
また、このシリンダ−錠のシリンダ−１２には、スプリング５１によって後方に移動勢力を与えたコンストラクションバ−５２を備え、コンストラクションキ−を使用する場合は、後側の３枚のタンブラ−１６がこのコンストラクションバ−５２に係合している。
【００８４】
コンストラクションバ−５２は、その一部がシリンダ−１２に設けた規制板５３に当り、図示右方向の移動が阻止されている。
したがって、コンストラクションキ−を挿入穴１２ｂに挿入すると、前側の７枚のタンブラ−１６、１７が駆動され、それらタンブラ−１６、１７の切欠凹部が整列する。
【００８５】
これより、サイドバ−２２が切欠凹部に突入移動してホルダ−の係合溝から脱出することから、シリンダ−１２が回転可能となり、施解錠することができる。
この場合、コンストラクションバ−５２がシリンダ−１２と共に回転する。
【００８６】
ユ−ザ−キ−をキ−挿入穴１２ｂに挿入すると、全てのタンブラ−１６、１７が駆動されるため、後側の３枚のタンブラ−１６とコンストラクションバ−５２との係合が解除され、また、全てのタンブラ−１６、１７の切欠凹部が整列し、シリンダ−１２が回転可能となる。
【００８７】
続いて、ユ−ザ−キ−を挿入した状態でシリンダ−１２を所定の角度まで回転させることによって、コンストラクションバ−５２が規制板５３の開口部５４に対向し、図２５（Ｂ）に示すように、コンストラクションバ−５２が開口部５４を通ってシリンダ−１２の規制孔５５に突入し、非回転に保持される。
【００８８】
したがって、ユ−ザ−キ−によってシリンダ−１２を戻し回転した後にキ−を抜き取れば、図２５（Ｃ）に示した如く、タンブラ−１６、１７の切欠凹部が非整列となり、サイドバ−２２が切欠凹部から脱出してホルダ−の係合溝に係合する。
【００８９】
また、コンストラクション機能を解除した図２５（Ｃ）の動作状態でコンストラクシヨンキ−を挿入した場合は、前側の７枚のタンブラ−１６、１７の切欠凹部が整列するが、後側の３枚のタンブラ−１６がコンストラクションバ−５２によって係止されているため切欠凹部が整列しなく、シリンダ−１２が回転しない。
【００９０】
このように構成したシリンダ−錠は、キ−コ−ドを変更することによって、コンストラクションキ−を新規キ−に換えることができるので、工事業者やキ−管理者などが変わっても、従来キ−の使用を禁止することができ、据付家具の盗難、居住者入居後の防犯性を高めることができる。
なお、このように使用するシリンダ−錠は、コンストラクションバ−構成を備えないで、キ−コ−ド変更によってコンストラクション機能をもたせることができる。
【００９１】
また、本発明のシリンダ−錠は、タンブラ−数を任意に定めることができるが、上記した各実施形態において説明したように、新規キ−を挿入することによってキ−コ−ドが自動的に変更されるから、キ−コ−ド変更用のタンブラ−１７の枚数を多くするほどセキュリティ面において信頼性が低下する。
したがって、例えば、１０枚のタンブラ−を備えるシリンダ−錠であれば、そのうち２〜３枚のタンブラ−をキ−コ−ド変更用のタンブラ−１７とすることが好ましい。
【００９２】
なお、本発明を実施する場合、全てのタンブラ−１６、１７について同方向に押動勢力を与えるシリンダ−錠としてもよく、また、第１タンブラ−板１８の噛合部１８ｇ、１８ｈの歯数と第２タンブラ−板１９の噛合部１９ｄ、１９ｅの歯数については任意に定めることができ、また、上記実施形態に示した噛合部１８ｇ、１８ｈを第２タンブラ−板１９に、噛合部１９ｄ、１９ｅを第１タンブラ−板１８に設けてもよい。
【００９３】
さらに、通常タンブラ−１６とキ−コ−ド変更用タンブラ−１７は厚さを同じ寸法として互換性があるように構成することができるので、シリンダ−１２の金型を変更する必要がなく、従来のシリンダ−１２に容易に装備させることができ、コスト面でも有利なシリンダ−錠となる。
【産業上の利用可能性】
【００９４】
建物や車輌のドアなどに備えるシリンダ−錠として利用することができる。
【図面の簡単な説明】
【００９５】
【図１】本発明に係るキ−コ−ド可変型シリンダ−錠の一実施形態を示すシリンダ−錠の正面図である。
【図２】図１上のＡ−（Ａ）線拡大断面図である。
【図３】上記したシリンダ−錠の主要部品を示した分解斜視図である。
【図４】上記したシリンダ−錠に備えたシリンダ−とタンブラ−とを示す分解斜視図である。
【図５】上記したシリンダ−錠に備えるキ−コ−ド変更用タンブラ−を示す分解斜視図である。
【図６】上記したキ−コ−ド変更用タンブラ−の斜視図である。
【図７】上記したキ−コ−ド変更用タンブラ−の正面図である。
【図８】キ−コ−ドを変更した動作を示す図７同様のタンブラ−の正面図である。
【図９】他のキ−コ−ドに変更した動作を示す図７同様のタンブラ−の正面図である。
【図１０】キ−コ−ド変更用タンブラ−に設けた噛合部を示す部分拡大図である。
【図１１】現行キ−の正面図である。
【図１２】図１０に示す現行キ−の右側面図である。
【図１３】ホルダ−とシリンダ−とを断面してキ−挿入前のキ−コ−ド変更用タンブラ−の動作を示した断面図である。
【図１４】現行キ−を挿入した状態を示す図１３同様の断面図である。
【図１５】新規キ−を挿入した状態を示す図１３同様の断面図である。
【図１６】キ−コ−ドの変更動作を示す図１３同様の断面図である。
【図１７】キ−コ−ドの変更動作を示す図１３同様の断面図である。
【図１８】キ−コ−ド変更後にキ−を抜き出した状態を示す図１３同様の断面図である。
【図１９】キ−コ−ド変更後に現行キ−を挿入したときの動作を示す図１３同様の断面図である。
【図２０】反対方向の押動勢力を与えたキ−コ−ド変更用タンブラ−を示す図１４同様の断面図である。
【図２１】上記したキ−コ−ド変更用タンブラ−の他の実施形態を示す斜視図である。
【図２２】図２１に示したタンブラ−の正面図である。
【図２３】図２１に示したタンブラ−の側面図である。
【図２４】図２１に示したタンブラ−の分解斜視図である。
【図２５】コンストラクション機能を有するシリンダ−錠に本発明を実施した一例を示し、図２５（Ａ）はコンストラクションキ−の使用可能状態を示すシリンダ−の断面図、図２５（Ｂ）はコンストラクション機能を解除した状態を示すシリンダ−の断面図、図２５（Ｃ）はユ−ザ−キ−の使用可能状態を示すシリンダ−の断面図である。
【符号の説明】
【００９６】
１０  シリンダ−錠
１１  ホルダ−
１１ｃ、１１ｄ  係合溝
１１ｅ、１１ｆ  凹形溝
１２  シリンダ−
１２ｂ  キ−挿入穴
１６  通常タンブラ−
１７  キ−コ−ド変更用のタンブラ−
１８  第１タンブラ−板
１８ａ  スプリング受部
１８ｂ  キ−コ−ド係合部
１８ｃ  切欠凹部
１８ｄ  キ−孔部
１８ｅ  肉薄面部
１８ｆ  肉厚面部
１８ｇ、１８ｈ  噛合部
１９  第２タンブラ−板
１９ａ  当接部
１９ｃ  切欠凹部
１９ｄ、１９ｅ  噛合部
２２  サイドバ−
２５  保持板
３０  現行キ−
３０ａ  第１キ−コ−ド部
３０ｂ  第２キ−コ−ド部
【図１】
2006233422.tif 000003
【図２】
2006233422.tif 000004
【図３】
2006233422.tif 000005
【図４】
2006233422.tif 000006
【図５】
2006233422.tif 000007
【図６】
2006233422.tif 000008
【図７】
2006233422.tif 000009
【図８】
2006233422.tif 000010
【図９】
2006233422.tif 000011
【図１０】
2006233422.tif 000012
【図１１】
2006233422.tif 000013
【図１２】
2006233422.tif 000014
【図１３】
2006233422.tif 000015
【図１４】
2006233422.tif 000016
【図１５】
2006233422.tif 000017
【図１６】
2006233422.tif 000018
【図１７】
2006233422.tif 000019
【図１８】
2006233422.tif 000020
【図１９】
2006233422.tif 000021
【図２０】
2006233422.tif 000022
【図２１】
2006233422.tif 000023
【図２２】
2006233422.tif 000024
【図２３】
2006233422.tif 000025
【図２４】
2006233422.tif 000026
【図２５】
2006233422.tif 000027